(57)【要約】      （修正有）【課題】収容対象（魚介類、昆虫類、爬虫類、両生類などの動物だけでなく植物などの生物全般を含む）の鑑賞性を可及的に高める、上部が開口した有底角筒状の飼育容器を提供する。【解決手段】飼育容器１の周壁の全ての壁部（前壁部４、左側壁部５、右側壁部６、後壁部７）のうちの半数以下の壁部４が外側から内部を視認可能に構成される。当該視認可能な壁部４以外の壁部５、６、７は黒系色とされている。このような飼育容器１では、その内部への外光の入射方向が制限されるようになるから、飼育容器１内に入れられる収容対象に外光が当たる方向が制限されることになるうえ、当該外光が前記黒系色の壁部５、６、７で反射されなくなるので、前記収容対象が引き立って見えるようになる。【選択図】図１
0003195371.tif 000002
【実用新案登録請求の範囲】
【請求項１】
上部が開口した有底角筒状の飼育容器であって、
前記周壁の全ての壁部のうちの半数以下の壁部が外側から内部を視認可能に構成され、
当該視認可能な壁部以外の壁部は黒系色とされている、ことを特徴とする飼育容器。
【請求項２】
請求項１に記載の飼育容器において、
前記視認可能な壁部は透明とされ、前記視認可能な壁部以外の壁部は不透明な黒系色とされる、ことを特徴とする飼育容器。
【請求項３】
請求項１または２に記載の飼育容器において、
前記周壁は四つの矩形状の壁部で構成され、そのうちの一壁部のみが前記視認可能な壁部とされる、ことを特徴とする飼育容器。
【請求項４】
請求項１から３のいずれか１項に記載の飼育容器において、
前記周壁において前記視認可能な壁部以外の壁部は断熱構造とされる、ことを特徴とする飼育容器。
【請求項５】
請求項１から４のいずれか１項に記載の飼育容器において、
前記視認可能な壁部は、飼育容器内外に貫通する開口窓と、この開口窓に取り付けられる透明板とを含む構成とされる、ことを特徴とする飼育容器。
【請求項６】
請求項１から５のいずれか１項に記載の飼育容器において、
前記周壁の角部には、補強用のリブが設けられる、ことを特徴とする飼育容器。
【請求項７】
請求項１から６のいずれか１項に記載の飼育容器において、
前記上部開口には、内部を照らすための照明装置が取り外し可能に取り付けられる、ことを特徴とする飼育容器。
【考案の詳細な説明】
【技術分野】
【０００１】
この考案は、上部が開口した有底角筒状の容器からなる飼育容器に関する。
【背景技術】
【０００２】
この種の飼育容器としては、例えば特許文献１，２が挙げられる。まず、特許文献１に示す飼育容器の周壁は四つの矩形状の壁部で構成されており、その四つの壁部のうちの前壁部、左側壁部ならびに右側壁部の三つが透明になっていて、後壁部の内側には不透明な仕切板が設けられている。なお、この特許文献１の段落００１７には、前記不透明な仕切板を反射鏡としてもよいとする記載がある。
【０００３】
また、特許文献２に示す飼育容器の周壁は四つの矩形状の壁部で構成されており、その四つの壁部全てが透明になっている。
【先行技術文献】
【特許文献】
【０００４】
【特許文献１】実用新案登録第３０７３９２５号公報
【特許文献２】特開平９−１０８号公報
【考案の概要】
【考案が解決しようとする課題】
【０００５】
特許文献１の従来例では、飼育容器の前壁部から容器内部を見ると、左側壁部、右側壁部からその向こう側が透けて見えるために、また、特許文献２の従来例では、飼育容器の前壁部から容器内部を見ると、左側壁部、右側壁部ならびに後壁部からその向こう側が透けて見えるために、飼育容器内部に入れられる収容対象（魚介類、昆虫類、爬虫類、両生類などの動物だけでなく植物などの生物全般を含む）だけを見ることができないなど、鑑賞としては不十分であることが指摘される。
【０００６】
また、特許文献１，２の従来例では、その前壁部だけでなく、他の壁部からも容器内部に外光が差し込むために、収容対象が例えば保護色機能のあるメダカの場合、メダカの体色が薄く見えるようになって、メダカそのものが綺麗に見えなくなることが懸念される。
【０００７】
このような事情に鑑み、本考案は、上部が開口した有底角筒状の飼育容器において、収容対象の鑑賞性を可及的に高めることを目的としている。
【課題を解決するための手段】
【０００８】
本考案は、上部が開口した有底角筒状の飼育容器であって、前記周壁の全ての壁部のうちの半数以下の壁部が外側から内部を視認可能に構成され、当該視認可能な壁部以外の壁部は黒系色とされている、ことを特徴としている。
【０００９】
この構成によれば、飼育容器の内部への外光の入射方向が制限されるようになるから、飼育容器内に入れられる収容対象（魚介類、昆虫類、爬虫類、両生類などの動物だけでなく植物などの生物全般を含む）に外光が当たる方向が制限されることになるうえ、当該外光が前記黒系色の壁部で反射されなくなるので、前記収容対象が引き立って見えるようになるなど、見栄えが良くなる。
【００１０】
特に、前記収容対象が飼育容器の黒系色の壁部で囲まれることによって、前記収容対象が胴体の透明なメダカなどの魚の場合には、当該魚が持つ保護色機能によって魚の体色が濃くなるために、当該魚が綺麗に見えるようになる。
【００１１】
ところで、収容対象が前記動物である場合、従来例のように飼育容器の周壁の四つの壁部のうちの三つの壁部または全壁部が透明であると、前記動物が周囲の全方位に注意を向けなければならなくなってストレスを受けやすくなる。しかしながら、本発明の前記構成であれば、前記動物が注意を向ける範囲が狭まるために前記のようなストレスを受けにくくなるなど、前記動物の寿命向上に貢献できるようになる。
【００１２】
好ましくは、前記視認可能な壁部は透明とし、前記視認可能な壁部以外の壁部は不透明な黒系色とすることができる。
【００１３】
この構成では、外側からの飼育容器内の視認性の向上と、飼育容器内の収容対象の見栄えの向上とを両立するうえで有利となる。
【００１４】
好ましくは、前記周壁は四つの矩形状の壁部で構成され、そのうちの一壁部のみを前記視認可能な壁部とすることができる。
【００１５】
この構成では、一般に知られる外形の飼育容器において飼育容器内に入れられる収容対象の見栄えが前記構成よりもさらに向上する。
【００１６】
好ましくは、前記周壁において前記視認可能な壁部以外の壁部は断熱構造とすることができる。
【００１７】
この構成では、飼育容器内の保温性が向上するので、夏場の飼育容器内の温度上昇ならびに冬場の飼育容器内の温度低下を共に抑制することが可能になる。
【００１８】
好ましくは、前記視認可能な壁部は、飼育容器内外に貫通する開口窓と、この開口窓に取り付けられる透明板とを含む構成とすることができる。
【００１９】
この構成では、飼育容器内をその上部開口に取り付けられる照明装置で明るくしたときに、当該照射光が前記黒系色の壁部で反射されなくなるので、前記収容対象が引き立って見えるようになるなど、見栄えが良くなる。
【００２０】
好ましくは、前記周壁の角部には、補強用のリブが設けられる構成とすることができる。なお、前記周壁の角部とは、前記周壁においてそれぞれ隣り合う二つの壁部が交差する部分のことである。
【００２１】
この構成では、例えば飼育容器全体を透明なアクリル樹脂やガラス板で形成する場合に比べて強度を高めることが可能になるので、耐荷重性ならびに耐久性の高い飼育容器を比較的安価に提供することが可能になる。また、前記構成では、飼育容器の外形形状を比較的自由な形状にデザインすることが可能になるので、飼育容器の強度を確保したうえで意匠性を高めることが可能になる。
【００２２】
好ましくは、前記上部開口には、内部を照らすための照明装置が取り外し可能に取り付けられる構成とすることができる。
【００２３】
この構成では、照明装置で飼育容器内を明るくしたときに、当該照射光が飼育容器の周壁における黒系色の壁部で反射されなくなるので、前記収容対象が引き立って見えるようになるなど、見栄えが良くなる。
【考案の効果】
【００２４】
本考案は、上部が開口した有底角筒状の飼育容器において、収容対象の鑑賞性を可及的に高めることが可能になる。
【図面の簡単な説明】
【００２５】
【図１】本考案の飼育容器の一実施形態を示す斜視図である。
【図２】図１の飼育容器を前壁部から見た図である。
【図３】図２の（３）−（３）線断面の矢視図である。
【図４】図１の飼育容器の上部開口に取り付けられる第１の照明装置を示す斜視図で、照明装置の下側を見えるようにした状態を示している。
【図５】図１の飼育容器の上部開口に第２の照明装置を取り付けた状態を示す斜視図である。
【図６】図５の照明装置の下側を見えるようにした状態を示す斜視図である。
【図７】本考案の飼育容器の他の実施形態を示す斜視図である。
【図８】本考案の飼育容器のさらに他の実施形態を示す斜視図である。
【図９】本考案の飼育容器のさらに他の実施形態を示す斜視図である。
【図１０】本考案の飼育容器のさらに他の実施形態を示す斜視図である。
【図１１】本考案の飼育容器のさらに他の実施形態を示す斜視図である。
【図１２】本考案の飼育容器のさらに他の実施形態を示す斜視図である。
【考案を実施するための形態】
【００２６】
以下、本考案を実施するための最良の実施形態について添付図面を参照して詳細に説明する。
【００２７】
図１から図６に、本考案の飼育容器の一実施形態を示している。この飼育容器１は、上部が開口した有底角筒状、例えば直方体とされている。なお、前記上部の開口に符号２を付し、また、飼育容器１の底壁部に符号３を付している。前記上部の開口２は、上部開口２と記載することもある。
【００２８】
この飼育容器１の周壁は、四つの矩形状の壁部４，５，６，７で構成されている。この周壁の全ての壁部４〜７のうち、前壁部４のみが外側から内部を視認可能に構成され、当該視認可能な前壁部４以外の壁部つまり左側壁部５、右側壁部６ならびに後壁部７の内側は黒系色とされている。
【００２９】
なお、前記黒系色としては、不透明な黒系色、あるいは半透明な黒系色を含み、例えば黒色、紺色、こげ茶色、深緑色などが挙げられる。この実施形態では、前記視認可能な前壁部４以外の壁部つまり左側壁部５、右側壁部６ならびに後壁部７の内側を、前記黒色、紺色、こげ茶色、深緑色の中からいずれか一つを選択することが好ましい。
【００３０】
前記視認可能な前壁部４については、当該前壁部４内の所定領域に飼育容器１の内外に貫通する開口窓４ａを設け、この開口窓４ａに透明板４ｂを取り付ける構成とすることによって、視認可能とするようにしている。
【００３１】
なお、開口窓４ａは、その設置対象となる前壁部４の外形形状と同じ形状に形成されていて、面積のみが適宜小さくされている。また、透明板４ｂは、透明な合成樹脂（例えばアクリル樹脂、ポリカーボネイト樹脂など）あるいは透明なガラスなどとされる。飼育容器１の本体は、例えばポリプロピレン、ＡＢＳ樹脂などの合成樹脂として、好ましくは不透明に形成される。
【００３２】
この透明板４ｂは、例えば図３に示すように、開口窓４ａよりも大きい寸法とされ、この透明板４ｂを開口窓４ａの内側で当該開口窓４ａの周縁に当接させる状態に配置しておいて、この透明板４ｂの外周をコーキング剤８で固定する形態とされている。前記コーキング剤８は、密封性ならびに接着性の優れたものを選択することが好ましい。透明板４ｂの固定形態については、前記以外の形態でもよく、任意である。
【００３３】
そして、前記周壁の角部、つまり前壁部４と左側壁部５と右側壁部６と後壁部７とにおいてそれぞれ隣り合う二つの壁部が交差する部分の外側は、丸みを帯びるように湾曲されている。この角部には補強用の縦リブ９が設けられている。この縦リブ９は上から下まで延びるような突条部とされている。
【００３４】
また、前壁部４と左側壁部５と右側壁部６と後壁部７との上端の外側には、補強用の横リブ１０が設けられている。この横リブ１０は周方向に延びるような突条部とされている。この横リブ１０は、上下に離れて二つ設けられており、そのうち、左側壁部５と右側壁部６とに配置される上下の横リブ１０には、それらを連結するような連接部１１が設けられている。この連接部１１は、人が飼育容器１を持ち上げるときに手の指を引っ掛けることが可能となるような形状に形成されている。
【００３５】
このような飼育容器１は、例えば魚介類などを飼育または鑑賞するための水槽として用いることができる。この場合には、飼育容器１内に水を入れる関係より重量が重くなるので、所定の強度が必要になる。
【００３６】
このように強度が必要な場合には、図１から図３に示す飼育容器１のように補強用の縦リブ９や横リブ１０を設ける構成にしていることが有利である。
【００３７】
ところで、上述した飼育容器１については、例えば比較的安価に入手可能な不透明の合成樹脂（例えばポリプロピレン、ＡＢＳ樹脂など）製のいわゆるコンテナケースなどを流用して、その周壁の一壁部に開口窓４ａを設け、この開口窓４ａに透明な合成樹脂（例えばアクリル樹脂、ポリカーボネイト樹脂など）あるいは透明なガラスなどを取り付ける構成とすることができる。この場合、比較的安価でありながら十分な強度を持つ飼育容器１を提供できるようになる。
【００３８】
そして、例えば図４または図５に示すように、上記飼育容器１の上部開口２には、内部を照らすための照明装置２０，３０を取り外し可能に取り付けることが可能である。図４に示す第１の照明装置２０と図５に示す第２の照明装置３０とは、タイプが異なる。
【００３９】
まず、図４に示す第１の照明装置２０は、飼育容器１の上部開口２の全域を覆うような形状とされている。この第１の照明装置２０は、ベースフレーム２１、発光体２２などを備えている。
【００４０】
ベースフレーム２１は、飼育容器１の上部開口２の全域を覆うような形状、つまり長方形形状に形成されており、その二つの短辺部分には取付片２１ａが下向きに屈曲するように設けられている。この取付片２１ａの先端は、飼育容器１の左側壁部５および右側壁部６の各上辺に係止されるようになっている。
【００４１】
また、ベースフレーム２１は、例えば半透明な合成樹脂で形成されており、その下面には、発光体２２が取り外し可能に取り付けられている。この発光体２２は、ＬＥＤあるいは蛍光灯などとされ、図示していないが、給電線を介して供給される駆動電源によって発光されるように構成される。なお、前記給電線の途中には、発光体２２を発光させる状態と発光させない状態とに選択的に切り換えるためのスイッチ（図示省略）が設けられる。
【００４２】
このような第１の照明装置２０では、前記スイッチを人が操作して発光体２２を発光させると、その光が飼育容器１の上部開口２から内部へ向けて照射されることになり、このような光で照らされる飼育容器１内の収容対象は、人が前壁部４から内部を見ると、綺麗に見えるようになる。
【００４３】
また、図５および図６に示す第２の照明装置３０は、飼育容器１の左側壁部５、右側壁部６ならびに後壁部７の上方付近を覆うようになっていて、上部開口２の大半を露呈するように取り付けられている。この第２の照明装置３０は、ベースフレーム３１、発光体３２などを備えている。
【００４４】
ベースフレーム３１は、三つの帯板部３１Ａ，３１Ｂ，３１Ｃを組み合わせた構成である。各帯板部３１Ａ，３１Ｂ，３１Ｃの長手方向両端には、それぞれ取付片３１ａ，３１ｂ，３１ｃが下向きに屈曲するように設けられている。左側帯板部３１Ａの取付片３１ａと右側帯板部３１Ｂの取付片３１ｂの先端は、飼育容器１の前壁部４の上辺と後壁部７の上辺とに係止されるようになっている。また、後側帯板部３１Ｃの取付片３１ｃの先端は、左側帯板部３１Ａと右側帯板部３１Ｂとに係止されるようになっている。
【００４５】
このベースフレーム３１を構成する三つの帯板部３１Ａ〜３１Ｃは、例えば不透明な合成樹脂で形成されており、それらの下面には、発光体３２がそれぞれ取り外し可能に取り付けられている。この発光体３２は、ＬＥＤあるいは蛍光灯などとされ、図示していないが、給電線を介して供給される駆動電源によって発光されるように構成される。なお、前記給電線の途中には、発光体３２を発光させる状態と発光させない状態とに選択的に切り換えるためのスイッチ（図示省略）が設けられる。
【００４６】
このような第２の照明装置３０では、前記スイッチを人が操作して発光体３２を発光させると、その光が飼育容器１の左側壁部５、右側壁部６ならびに後壁部７の上方から下方へ向けて照射されることになり、このような光で照らされる飼育容器１内の収容対象は、人が前壁部４から内部を見ると、綺麗に見えるようになる。
【００４７】
以上説明したように本考案を適用した実施形態に係る飼育容器１は、その内部への外光の入射方向が制限されるようになるから、飼育容器１内に入れられる収容対象（魚介類、昆虫類、爬虫類、両生類などの動物だけでなく植物などの生物全般を含む）に外光が当たる方向が制限されることになるうえ、当該外光が前記黒系色の壁部（左側壁部５、右側壁部６ならびに後壁部７）で反射されなくなるので、前記収容対象が引き立って見えるようになるなど、見栄えが良くなる。
【００４８】
特に、前記収容対象が飼育容器１の周壁における黒系色の壁部（左側壁部５、右側壁部６ならびに後壁部７）で囲まれることによって、前記収容対象が胴体の透明なメダカなどの魚の場合には、当該魚が持つ保護色機能によって魚の体色が濃くなるために、当該魚が綺麗に見えるようになる。
【００４９】
ところで、収容対象が動物である場合、従来例のように飼育容器の周壁の四つの壁部のうちの三つの壁部または全壁部が透明であると、前記動物が周囲の全方位に注意を向けなければならなくなってストレスを受けやすくなる。しかしながら、本発明の前記構成であれば、前記動物が注意を向ける範囲が狭まるために前記のようなストレスを受けにくくなるなど、前記動物の寿命向上に貢献できるようになる。
【００５０】
特に、この実施形態の飼育容器１は、その周壁の角部と前記周壁を構成する四つの壁部４〜７の上部にそれぞれ補強用の縦リブ９や横リブ１０を設けているので、例えば飼育容器１全体をアクリル樹脂製とする場合に比べて強度を高めることが可能になる。これにより、本発明によれば、耐荷重性ならびに耐久性の高い飼育容器１を比較的安価に提供することが可能になる。
【００５１】
また、この実施形態の飼育容器１は、その上部開口２に内部を照らすための第１，第２の照明装置２０，３０を取り外し可能に取り付けるようにしているが、第１，第２の照明装置２０，３０で飼育容器１内を明るくしたときに、当該照射光が飼育容器１の周壁における黒系色の壁部（左側壁部５、右側壁部６ならびに後壁部７）で反射されなくなるので、前記収容対象が引き立って見えるようになるなど、見栄えが良くなる。
【００５２】
なお、本考案は、上記実施形態のみに限定されるものではなく、実用新案登録請求の範囲内及び当該範囲と均等の範囲内で適宜に変更することが可能である。
【００５３】
（１）上記実施形態では、飼育容器１の前壁部４に設置する開口窓４ａの占有面積を可及的に大きくした例を挙げているが、本考案はそれのみに限定されるものではない。
【００５４】
例えば図７に示すように、開口窓４ａの占有面積をその設置対象となる壁部の周方向長さの例えば約１／２などに小さくすることが可能である。この開口窓４ａの占有面積は、任意である。この場合も上記実施形態とほぼ同様の作用、効果が得られる。
【００５５】
（２）上記実施形態では、飼育容器１の前壁部４のみを視認可能な壁部とした例を挙げているが、本考案はそれのみに限定されるものではない。
【００５６】
本考案に係る飼育容器１は、例えば図８に示すように、前壁部４と、それに隣り合う左側壁部５とを視認可能な壁部とすることが可能である。この場合、前壁部４だけでなく、左側壁部５にも開口窓５ａと透明板５ｂが設けられる。また、本考案に係る飼育容器１は、例えば図９に示すように、前壁部４と、それに隣り合う右側壁部６とを視認可能な壁部とすることが可能である。この場合、前壁部４だけでなく、右側壁部６にも開口窓６ａと透明板６ｂが設けられる。
【００５７】
このような場合には、外側からの飼育容器１内の視認性の向上と、飼育容器１内の収容対象の見栄えの向上とを両立することが可能になる。
【００５８】
また、その場合、前記視認可能とする二つの壁部（前壁部４と左側壁部５、または前壁部４と右側壁部６）に設ける開口窓（４ａ，５ａまたは４ａ，６ａ）の占有面積は、上記（１）で記載しているように任意とすることができる。具体的に、例えば図１０に示すように、前壁部４の開口窓４ａの占有面積を可及的に大きくして、左側壁部５の開口窓５ａの占有面積を可及的に小さくすることが可能である。
【００５９】
（３）上記実施形態では、飼育容器１に補強用の縦リブ９や横リブ１０を設置した例を挙げているが、本考案はそれのみに限定されるものではなく、飼育容器１に補強用の縦リブ９や横リブ１０を設置していない構成も本考案に含まれる。
【００６０】
（４）上記実施形態では、飼育容器１の周壁を四つの矩形状の壁部４〜７で構成した例を挙げているが、本考案はそれのみに限定されるものではない。
【００６１】
飼育容器１の周壁の壁部の数は任意であり、当該周壁を例えば図１１に示すような五つの矩形状の壁部（１Ａ，１Ｂ，１Ｃ，１Ｄ，１Ｅ）、あるいは例えば図１２に示すような六つの矩形状の壁部（１Ａ，１Ｂ，１Ｃ，１Ｄ，１Ｅ，１Ｆ）で構成することが可能である。これらの実施形態では一つの壁部１Ａに開口窓１ａと透明板１ｂとを設けている。これらの実施形態でも上記実施形態とほぼ同様の作用、効果が得られる。
【００６２】
（５）上記実施形態では、飼育容器１を水槽とした例を挙げているが、本考案はそれのみに限定されるものではない。
【００６３】
例えば飼育容器１は水を入れないタイプ、つまり陸上生物を入れる専用の飼育容器とすることが可能である。その場合、飼育容器１の強度は、飼育容器１を水槽とする場合のように高強度とする必要がないので、飼育容器１に上記補強用の縦リブ９や横リブ１０を設置しなくてもよい。
【００６４】
（６）上記実施形態の飼育容器１の周壁において前記視認可能な壁部以外の壁部は断熱構造とすることが可能である。
【００６５】
例えば、前記断熱構造とする壁部については、当該壁部そのものを断熱材料で形成することが可能であるが、前記壁部は上記実施形態で説明した素材のままにして、その内側または外側に断熱材料を設ける形態にすることも可能である。
【００６６】
この場合、飼育容器１内の保温性が向上するので、夏場の飼育容器１内の温度上昇ならびに冬場の飼育容器１内の温度低下を共に抑制することが可能になる。
【００６７】
（７）上記実施形態では、飼育容器１の周壁において視認可能とする壁部について開口窓および透明板を持つ構成にした例を挙げているが、本考案はそれのみに限定されるものではない。
【００６８】
図示していないが、例えば飼育容器１の周壁を構成する全ての壁部を透明な素材（アクリル樹脂またはガラス板など）で形成しておいて、当該周壁を構成する全ての壁部のうちの視認可能とする壁部以外を黒系色で塗装する形態にしたり、あるいは黒系色のフィルムまたはパネルなどを取り付ける形態にしたりすることが可能である。この場合も上記実施形態とほぼ同様の作用、効果が得られる。
【産業上の利用可能性】
【００６９】
本考案は、上部が開口した有底角筒状の飼育容器に好適に利用することが可能である。
【符号の説明】
【００７０】
１    飼育容器
２    上部開口
４    周壁の前壁部
４ａ    開口窓
４ｂ    透明板
５    周壁の左側壁部
６    周壁の右側壁部
７    周壁の後壁部
８    コーキング剤
９    補強用の縦リブ
１０    補強用の横リブ
２０    第１の照明装置
３０    第２の照明装置
【図１】
0003195371.tif 000003
【図２】
0003195371.tif 000004
【図３】
0003195371.tif 000005
【図４】
0003195371.tif 000006
【図５】
0003195371.tif 000007
【図６】
0003195371.tif 000008
【図７】
0003195371.tif 000009
【図８】
0003195371.tif 000010
【図９】
0003195371.tif 000011
【図１０】
0003195371.tif 000012
【図１１】
0003195371.tif 000013
【図１２】
0003195371.tif 000014